(57)【特許請求の範囲】
【請求項１】
窓枠に揺動自在に連結された障子を全閉位置まで閉鎖側に付勢する付勢手段と、該付勢手段に抗して開放し前記障子を開窓位置に保持する保持手段と、該保持手段による前記障子の保持を解除して前記付勢手段により前記障子を自動的に閉鎖させる閉窓手段とからなる自動閉鎖窓であって、
前記障子は複数であり、各障子を前記付勢手段に抗して同時的に開放させる開窓手段を有するとともに、前記閉窓手段の作動で前記複数の障子は一度に閉鎖し、
任意の設定時刻に前記保持手段による前記障子の保持を解除して前記付勢手段の作用で前記障子を自動的に閉鎖させる閉窓タイマ機構を付設し、
前記付勢手段は前記障子を閉鎖側に付勢するダンパーステイであり、
前記開窓手段は、前記窓枠の下辺に設けられた滑車５４、前記障子の上位に固定された上側ブラケットの先端に取り付けた滑車５５、前記窓枠に取り付けた滑車５６を経て配索されたワイヤ、および該ワイヤをプーリーに巻き取り前記障子を開放させるワイヤ巻き取り機構からなり、
前記保持手段は前記プーリーに付設したラチェット機構であり、
前記閉窓タイマ機構は前記ワイヤ巻き取り機構が収容されたハンドルボックス内に設置され設定時刻に前記ラチェット機構による係止を開放する電磁式開放機構であることを特徴とする自動閉鎖窓。
【請求項２】
請求項１に記載の自動閉鎖窓において、
前記窓枠と前記障子との間に、前記障子の閉鎖にともない前記障子を全閉位置に自動的に係止するとともに、開放操作にともない前記障子の係止を自動的に解除する自動ロック機構を付設したことを特徴とする自動閉鎖窓。
【請求項３】
請求項２に記載の自動閉鎖窓において、
前記自動ロック機構は、前記窓枠に取り付けた滑車５６に付設したスライド機構付きラッチと、前記窓枠に取り付けられた前記ラッチの自動係止部材とからなり、
前記障子の閉窓動作により全閉位置で前記ラッチは前記自動係止部材に自動的に係止され、前記ワイヤ巻き取り機構により前記ワイヤが引っ張られたときは前記ラッチがスライドして前記自動係止部材との係止が自動的に解除されることを特徴とする自動閉鎖窓。
【発明の詳細な説明】
【０００１】
【発明の属する技術分野】
この発明は、窓の閉鎖のみを自動化した自動閉鎖窓に関する。
【０００２】
【従来の技術】
障子を変位させて開閉する開閉窓では、ダンパーステイなどの付勢手段で障子を開放側に付勢している。このため、障子を開窓位置から閉鎖させるためには、特別に閉窓の操作または駆動を必要としている。この結果、多数の障子を開窓位置に保持している各々の保持手段を、ワイヤなどの簡単な操作機構で一度に操作し、全ての窓を同時的に閉鎖させることは困難である。
【０００３】
また、換気窓は、昼間に窓を開放させて換気を行うことが一般的であるが、不特定多数の人が多数の窓を開放する管理体制の建物では、全ての窓を閉鎖させる操作が確実に行われることが期待できない場合が多い。管理者がいない夜間に開放されたままの窓は、雨が入ったり防犯性に問題が生じる。このため、管理者が不特定で責任体制が明確でない建物の窓を確実に閉鎖させるには、多数の窓にそれぞれ閉鎖検出センサおよび電動式開閉装置を装着して集中管理室で管理する装置が必要となる。
【０００４】
【発明が解決しようとする課題】
多数の窓にそれぞれ電動式開閉装置などを装着し集中管理室で管理する方法は高価であるため、閉め忘れが防止できる安価な自動閉鎖窓が要望されている。
【０００５】
請求項１に記載の発明の目的は、学校、体育館などの公共施設の如く、窓数が多く夜間は無人となる施設、または開放状態が目視確認しにくく、閉鎖を忘れがちな窓を有する建物を主な対象として、安価な閉め忘れ防止機構を有する自動閉鎖窓の提供にある。
【０００６】
請求項２または３に記載の発明の目的は、閉窓時における風圧（負圧）による開窓を防止するために必要となる閉鎖側に付勢する付勢手段の大きな閉窓力を低減でき、この結果閉窓に要する操作力を低減できる自動閉鎖窓の提供にある。
【０００７】
【課題を解決するための手段】
請求項１に記載の自動閉鎖窓は、窓枠に揺動自在に連結された障子を全閉位置まで閉鎖側に付勢する付勢手段と、該付勢手段に抗して開放し前記障子を開窓位置に保持する保持手段と、該保持手段による前記障子の保持を解除して前記付勢手段により前記障子を自動的に閉鎖させる閉窓手段とからなる。
【０００８】
そして、前記障子は複数であり、各障子を前記付勢手段に抗して同時的に開放させる開窓手段を有するとともに、前記閉窓手段の作動で前記複数の障子は一度に閉鎖することを特徴とする。
【０００９】
また、任意の設定時刻に前記保持手段による前記障子の保持を解除して前記付勢手段の作用で前記障子を自動的に閉鎖させる閉窓タイマ機構を付設したことを特徴とする。
【００１０】
また、前記付勢手段は前記障子を閉鎖側に付勢するダンパーステイであり、前記開窓手段は、前記窓枠の下辺に設けられた滑車、前記障子の上位に固定された上側ブラケットの先端に取り付けた滑車、前記窓枠に取り付けた滑車を経て配索されたワイヤ、および該ワイヤをプーリーに巻き取り前記障子を開放させるワイヤ巻き取り機構からなり、前記保持手段は前記プーリーに付設したラチェット機構であり、前記閉窓タイマ機構は前記ワイヤ巻き取り機構が収容されたハンドルボックス内に設置され設定時刻にラチェット機構による係止を開放する電磁式開放機構であることを特徴とする。
【００１１】
請求項２に記載の自動閉鎖窓は、窓枠と前記障子との間に、前記障子の閉鎖にともない前記障子を全閉位置に自動的に係止するとともに、開放操作にともない前記障子の係止を自動的に解除する自動ロック機構を付設したことを特徴とする。
【００１２】
請求項３に記載の自動閉鎖窓は、前記自動ロック機構が、前記窓枠に取り付けた滑車に付設したスライド機構付きラッチと、前記窓枠に取り付けられた前記ラッチの自動係止部材（ストライカー）とからなり、前記障子の閉窓動作により全閉位置で前記ラッチは前記自動係止部材に自動的に係止され、前記ワイヤ巻き取り機構により前記ワイヤが引っ張られたときは前記ラッチがスライドして前記自動係止部材との係止が自動的に解除されることを特徴とする。
【００１３】
【発明の作用、効果】
請求項１に記載の構成では、換気などのために開放された窓を閉鎖する操作がワンタッチで行え、窓を閉鎖させる操作を怠る度合いが低下できる。
【００１４】
また、複数の開放された窓を閉鎖する操作がワンタッチで行え、不特定多数の人が多数の窓を開放する管理体制の建物でも、全ての窓を一度に閉鎖させる操作が確実に行われる。
【００１５】
また、閉窓タイマ機構により任意の設定時刻に保持手段による障子の保持を解除して付勢手段の作用で障子を閉鎖させるので、閉窓タイマ機構の付加のみで設定時刻に自動閉窓できる。
【００１６】
また、従来の窓開閉機構のハンドルボックス内に閉窓タイマ機構を付設することで設定時刻に自動閉窓できるため、コストの増加が少ない。
【００１７】
請求項２に記載の構成では、窓の閉鎖時において強い風による風圧で窓が開く不具合を防止するため、付勢手段であるダンパーステイなどによる付勢力を大きくする必要がない。このため、小型の付勢手段で自動閉鎖窓の全閉の維持が可能になる。また、この結果、窓の閉鎖に必要な操作力も小さくでき、操作性が向上するとともに、小型化、低コスト化が可能になる。
【００１８】
請求項３に記載の構成では、ロック機構を、窓枠に取り付けた滑車に付設したスライド機構付きラッチと、窓枠に取り付けられたラッチの自動係止部材（ストライカー）とで構成している。障子の閉窓動作により全閉位置でラッチは自動係止部材に自動的に係止され、ワイヤ巻き取り機構によりワイヤが引っ張られたときはラッチがスライドして自動係止部材との係止が自動的に解除される。これにより、簡単な構造で自動ロック機構が形成でき、実用性に優れる。
【００１９】
【発明の実施の形態】
図１〜図３は、この発明の第１実施例にかかる自動閉鎖窓１０を示す。自動閉鎖窓１０は、窓枠１に揺動自在に取り付けた障子２を備えている。窓枠１には、障子２を閉鎖方向に全閉位置まで付勢する付勢手段３が設置されている。この実施例では、付勢手段３は、バネ方式またはオイル方式の一対のダンパーステイ３０、３０からなる。
【００２０】
障子２は、ハンドルボックス４０内に設置された操作機構４により、開放および閉鎖の操作が行われる。操作機構４は、図４、図５に示す如く、障子２に配索されたワイヤ５１を含み、付勢手段３に抗して障子２を開放させるための開窓手段（ワイヤ巻き取り機構）５、開放させた障子２（ワイヤ５１）を開窓位置に保持する保持手段６を有する。保持手段６には、障子２（ワイヤ５１）の保持を解除して、付勢手段３により障子２を自動的に閉鎖させる閉窓手段７が付設されている。
【００２１】
障子２は上辺２１が支点２２を介して窓枠１の上辺１２に揺動自在に連結されており、下辺２３は自由辺となっている。ダンパーステイ３０、３０は、障子２の左右の側辺２４、２５の上位に固定された上側ブラケット３１、３１と、窓枠１の左右の側辺１３、１４の下位に締結された下側ブラケット３２、３２との間に装着されている。
【００２２】
開窓手段（ワイヤ巻き取り機構）５は、ワイヤ５１を巻き取るプーリー５２、およびプーリー５２を回動させるレバー５３を有する。ワイヤ５１は、一端５ａが固定され、窓枠１の下辺の左右に設けられている滑車５４、５４、上側ブラケット３１の先端に取り付けた滑車５５、５５、窓枠１に取り付けた滑車５６、５６、および窓枠１の上方に設置された滑車５７を経て配索され、プーリー５２に巻き取られる。
【００２３】
保持手段６は、プーリー５２で巻き取ったワイヤ５１を所望の巻き取り位置でプーリー５２を係止するラチェット機構６０からなる。ラチェット機構６０は、プーリー５２の縁に形成したギア６１と、ギア６１に接触するように付勢された爪６２とを有する。
【００２４】
閉窓手段７は、設定時刻にラチェット機構６０を解除させるタイマ機構７０であり、スイッチ７１と、爪６２を解除するリンク７２およびリンク７２を作動させる電磁駆動器７３を備えている。
【００２５】
この自動閉鎖窓１０は、換気のために開放する際には、開窓手段５のレバー５３を回動させてプーリー５２にワイヤ５１を巻き取り、所望の開度まで障子２を開放する。閉鎖は、タイマ機構７０により設定された時刻になるとラチェット機構６０により係止が開放されてダンパーステイ３０の付勢力および重力の作用で障子２は閉窓する。このため、多人数が適宜に窓を開放する公共の建築物の換気窓など、閉窓管理の行い難い窓の閉窓管理に好適である。
【００２６】
付勢手段３は、重力のみ又は捩じりバネなどダンパーステイ３０以外の付勢手段で障子２を閉鎖方向に付勢するものであってもよい。また、タイマ機構７０は、集中管理室などハンドルボックス４０以外に設けてもよい。さらに、開窓手段５は電動によるものであってもよい。
【００２７】
図６〜図１０は、この発明の第２実施例を示す。この実施例では、窓枠１と障子２との間に、障子２の閉鎖にともない障子２を自動的に係止するとともに全閉位置に保持（固定）し、開放操作にともない障子２の保持（固定）を自動的に解除する障子２の自動ロック機構８を付設している。
【００２８】
自動ロック機構８は、窓枠１に取り付けた滑車５６に設けたスライド機構付きラッチ８０と、障子２の枠部に取り付けられた自動係止部材９とからなる。スライド機構付きラッチ８０は、窓枠１に上下方向にスライド可能に取り付けたスライド板８１と、該スライド板８１を下方に付勢するバネ８２と、スライド板８１に固定され、障子２の中心側に突き出しているラッチ８３とからなる。スライド板８１には、滑車５６の車台５８が締結されている。
【００２９】
自動係止部材９は、図９、図１０に示す如く、障子２の枠部に締結される基板９１、該基板９１に突設されたブラケット９２を備える。ブラケット９２には、ピン９３によりストライカー９４の基部が回動自在に連結されている。ストライカー９４は、断面略Ｌを呈し、外側に傾斜可能であるとともに、内側に付勢するバネ９５が付設されている。ストライカー９４の先端部の内側には傾斜面９６が形成されるとともに、係止段９７が形成され、フック状を呈している。
【００３０】
この実施例の自動閉鎖窓１０は、障子２の閉窓動作により全閉位置でラッチ８０がストライカー９４の係止段９７に係止（ロック）しており、ダンパーステイ３０の付勢力は、自動係止部材９により受け持たれている。このため、強い風により障子が開窓方向に風圧または負圧を受けても、障子２が不用意に開放されることを阻止できる。
【００３１】
開窓手段（ワイヤ巻き取り機構）５によりワイヤ５１が引っ張られたときは、図８、図９に示す如く、滑車５６に加わる上方向への引っ張り力でスライド板８１が上方にスライドする。これによりラッチ８３は上方に変位してストライカー９４の係止段９７から外れ、係止（ロック）は解除され、障子２の回動が可能になる。
【００３２】
さらに開窓手段（ワイヤ巻き取り機構）５でワイヤ５１を巻き取ることにより、障子２は開窓方向に回動し所望の開度が得られる。障子２の閉鎖は、閉窓手段７の操作によりダンパーステイ３０の付勢力により障子２が回動し、ラッチ８３がストライカー９４の傾斜面９６に押し当たり、バネ９５に抗してストライカー９４を外側に押し倒してラッチ８３が係止段９７に自動的に係止して行われる。
【００３３】
この実施例では、障子２の全閉時におけるダンパーステイ３０の付勢力が小さくても、強風などにより不用意に障子２が開窓する不具合を確実に防止できる。このため、小型で安価の付勢手段３が使用でき、かつ、開窓に要する操作力または動力を小さくできる。
【図面の簡単な説明】
【図１】第１実施例の閉窓時の自動閉鎖窓の正面図である。
【図２】第１実施例の閉窓時の自動閉鎖窓の側面図である。
【図３】第１実施例の開窓時の自動閉鎖窓の側面図である。
【図４】第１実施例の操作機構の正面図である。
【図５】第１実施例の操作機構の内部の正面図である。
【図６】第２実施例の閉窓時の自動閉鎖窓の正面図である。
【図７】第２実施例の閉窓時の自動閉鎖窓の側面図である。
【図８】第２実施例の開窓時の自動閉鎖窓の側面図である。
【図９】自動ロック機構の斜視図である。
【図１０】自動係止機構の組付図である。
【符号の説明】
１          窓枠
１０        自動閉鎖窓
２          障子
３          付勢手段
３０        ダンパーステイ
４          操作機構
４０        ハンドルボックス
５          開窓手段（ワイヤ巻き取り機構）
５１        ワイヤ
５２        プーリー
５４〜５７  滑車
６          保持手段
６０        ラチェット機構
７          閉窓手段
７０        タイマ機構（閉窓タイマ機構、電磁式開放機構）
８          自動ロック機構
８０        スライド機構付きラッチ
８３        ラッチ
９          自動係止部材
【図１】
0003936605.tif 000002
【図２】
0003936605.tif 000003
【図３】
0003936605.tif 000004
【図４】
0003936605.tif 000005
【図５】
0003936605.tif 000006
【図６】
0003936605.tif 000007
【図７】
0003936605.tif 000008
【図８】
0003936605.tif 000009
【図９】
0003936605.tif 000010
【図１０】
0003936605.tif 000011